(57)【要約】【課題】本発明は、蓋部材をボックスにしっかりとねじ止めし、ねじを受ける部分の突出量を抑えることを目的とするものである。【解決手段】ボックス７には、複数の円弧状のねじ受け部７ｂが設けられている。各ねじ受け部７ｂは、２本のスリットに挟まれた帯状の部分をボックス７の内側へ円弧状に押し出すことにより形成されている。表示操作板９は、表示操作板９を通した複数のタッピンねじ１１を対応するねじ受け部７ｂの内側の空間にねじ込むことによりボックス７に取り付けられている。【選択図】図４
2014040291.tif 000002
【特許請求の範囲】
【請求項１】
ボックスと、前記ボックス内に収容されている内蔵機器と、前記ボックスにねじ止めされている蓋部材とを備えているエレベータ用操作表示器であって、
前記ボックスには、２本のスリットに挟まれた帯状の部分を前記ボックスの内側へ押し出してなる少なくとも１つの円弧状のねじ受け部が設けられており、
前記蓋部材は、前記蓋部材を通したタッピンねじを前記ねじ受け部の内側の空間にねじ込むことにより前記ボックスに取り付けられていることを特徴とするエレベータ用操作表示器。
【請求項２】
前記蓋部材は、前記ボックスの前面の開口を塞ぐ表板であることを特徴とする請求項１記載のエレベータ用操作表示器。
【請求項３】
前記ボックスの前面、上面及び下面に開口が設けられており、
前記蓋部材は、前記ボックスの上面の開口を塞ぐ上部カバーと、前記ボックスの下面の開口を塞ぐ下部カバーとを含むことを特徴とする請求項１又は請求項２に記載のエレベータ用操作表示器。
【発明の詳細な説明】
【技術分野】
【０００１】
この発明は、例えばかご操作盤、かご内表示器、乗場操作盤、及び乗場表示器等のエレベータ用操作表示器に関するものである。
【背景技術】
【０００２】
通常、エレベータのかご操作盤は、前面に開口が設けられているボックスと、ボックス内に収容されている内蔵機器と、開口を塞ぐ表板とを有している。また、従来の一般的なかご操作盤では、複数のＬ字型のねじ孔付金具が溶接等によりボックスの内面に固定されており、表板を貫通したねじをねじ孔付金具のねじ孔に螺着することにより、表板がボックスにねじ止めされている。
【０００３】
また、従来のエレベータ用運転操作盤では、ボックスを収納するボックス収納穴がかご室壁に設けられており、ボックス収納穴の上下のかご室壁が延長され、そこに表板を固定するためのねじ孔が設けられている。又は、表板の裏面に固定されたＬ字型の金具に切欠溝が設けられているとともに、ボックスにピンが固定されており、切欠溝をピンに引っ掛けつつ表板を斜め下方へスライドさせることにより、表板がボックスに組み付けられている（例えば、特許文献１参照）。
【０００４】
また、従来のエレベータの乗場操作盤では、乗場壁に固定された取付板に複数の凹部が設けられているとともに、フェースプレートの裏面に複数の棒が設けられており、棒を凹部に挿入することにより、フェースプレートが取付板に固定されている（例えば、特許文献２参照）。
【先行技術文献】
【特許文献】
【０００５】
【特許文献１】特公昭６２−１４４６６号公報
【特許文献２】特開２００９−１９０８４６号公報
【発明の概要】
【発明が解決しようとする課題】
【０００６】
上記のような従来の操作盤のうち、Ｌ字型のねじ孔付金具を用いた一般的な表板固定構造を持つものでは、ねじ孔付金具がボックスの内側へ大きく突出しているため、ボックスに内蔵機器を搬入しにくく、また保守作業の作業性も低下する。また、切欠溝をピンに引っ掛ける構造では、いたずらで外されてしまう恐れがあった。さらに、棒を凹部に挿入する構造では、フェースプレートと取付板との間に余分な係止装置が必要となり、構造が複雑で高価になる。
【０００７】
この発明は、上記のような課題を解決するためになされたものであり、蓋部材をボックスにしっかりとねじ止めすることができ、かつ、ねじを受ける部分の突出量を抑えることができるエレベータ用操作表示器を得ることを目的とする。
【課題を解決するための手段】
【０００８】
この発明に係るエレベータ用操作表示器は、ボックスと、ボックス内に収容されている内蔵機器と、ボックスにねじ止めされている蓋部材とを備え、ボックスには、２本のスリットに挟まれた帯状の部分をボックスの内側へ押し出してなる少なくとも１つの円弧状のねじ受け部が設けられており、蓋部材は、蓋部材を通したタッピンねじをねじ受け部の内側の空間にねじ込むことによりボックスに取り付けられている。
【発明の効果】
【０００９】
この発明のエレベータ用操作表示器は、２本のスリットに挟まれた帯状の部分をボックスの内側へ押し出してなる少なくとも１つの円弧状のねじ受け部をボックスに設け、タッピンねじをねじ受け部の内側の空間にねじ込むことにより蓋部材をボックスに取り付けたので、蓋部材をボックスにしっかりとねじ止めすることができ、かつ、タッピンねじを受ける部分の突出量を抑えることができる。
【図面の簡単な説明】
【００１０】
【図１】この発明の実施の形態１によるエレベータのかご室の水平断面図である。
【図２】図１のかご操作盤の水平断面図である。
【図３】図２のかご操作盤の要部を示す斜視図である。
【図４】図３の分解斜視図である。
【図５】図２のかご操作盤から表示操作板を取り外した状態を示す斜視図である。
【図６】図２のボックスにねじ受け部を形成する方法を示す斜視図である。
【図７】図６のスリットの第１の例を示す正面図である。
【図８】図６のスリットの第２の例を示す正面図である。
【図９】図６の簡易押出工具をボックスに装着した状態を示す断面図である。
【図１０】図９の簡易押出工具を回動操作した状態を示す断面図である。
【図１１】図３のねじ受け部を示す斜視図である。
【図１２】この発明の実施の形態２によるかご操作盤のボックスを示す分解斜視図である。
【図１３】図１２のボックスの上端部を示す正面図である。
【図１４】図１３のボックスを示す左側面図である。
【図１５】図１３のボックスを示す平面図である。
【発明を実施するための形態】
【００１１】
以下、この発明を実施するための形態について、図面を参照して説明する。
実施の形態１．
図１はこの発明の実施の形態１によるエレベータのかご室の水平断面図である。図において、かご室１の前面には、かご出入口１ａが設けられている。かご出入口１ａは、一対のかごドア２ａ，２ｂにより開閉される。かご室１の前面下部には、かご敷居３が設けられている。
【００１２】
また、かご室１は、かご床４と、かご床４上に立設された複数のかご室壁５と、かご天井（図示せず）とを有している。さらに、かご室１の前面のかご室壁５（袖壁）には、エレベータ用操作表示器であるかご操作盤６が設けられている。かご操作盤６は、前面に開口が設けられているボックス７と、ボックス７内に収容されている複数の内蔵機器８と、開口を塞ぐようにボックス７に取り付けられている蓋部材としての表示操作板（化粧用表板）９とを有している。
【００１３】
内蔵機器８には、例えばスピーカや複数の光源等が含まれている。また、表示操作板９には、行先階を登録するための複数の行先階ボタン、かごドア２ａ，２ｂを開放するための戸開ボタン、及びかごドア２ａ，２ｂを閉鎖するための戸閉ボタン等が設けられている。
【００１４】
図２は図１のかご操作盤６の水平断面図、図３は図２のかご操作盤６の要部を示す斜視図、図４は図３の分解斜視図、図５は図２のかご操作盤６から表示操作板９を取り外した状態を示す斜視図である。ボックス７は、複数の取付ボルト１０によりかご室壁５に固定されている。ボックス７には、取付ボルト１０を通す複数のボルト挿通孔７ａが設けられている。
【００１５】
ボックス７には、複数の円弧状のねじ受け部７ｂが設けられている。各ねじ受け部７ｂは、２本のスリット（又は長孔）７ｄ（図６）に挟まれた帯状の部分をボックス７の内側へ円弧状に押し出すことにより形成されている。
【００１６】
表示操作板９は、表示操作板９を通した複数のタッピンねじ（化粧タッピンねじ）１１を対応するねじ受け部７ｂの内側の空間にねじ込むことによりボックス７に取り付けられている。表示操作板９には、タッピンねじ１１を通す複数のねじ挿通孔（皿穴）７ｃが設けられている。
【００１７】
次に、ねじ受け部７ｂの形成方法について説明する。図６は図２のボックス７にねじ受け部７ｂを形成する方法を示す斜視図である。まず、ボックス７の側面のねじ受け部７ｂを形成したい部分の両側に、２本の直線状のスリット７ｄを設ける。１つのねじ受け部７ｂに対応するスリット７ｄは、互いに平行であり、かつ同じ長さである。
【００１８】
図７は図６のスリット７ｄの第１の例を示す正面図、図８は図６のスリット７ｄの第２の例を示す正面図であり、スリット７ｄの長さ寸法や幅寸法は適宜変更可能である。また、スリット７ｄは、ボックス７を箱形に組み立てる前にボックス７の材料に予め設けておいても、組立後に設けてもよい。
【００１９】
このようなスリット７ｄを設けた後、簡易押出工具１２を用いて、スリット７ｄに挟まれた帯状の部分をボックス７の内側へ円弧状に押し出す。簡易押出工具１２は、ハサミ状の工具であり、ボックス７を保持する保持ロッド１３と、保持ロッド１３に回動自在に連結された押出ロッド１４とを有している。
【００２０】
ロッド１３，１４の基端部には、把持部１３ａ，１４ａが設けられている。保持ロッド１３の先端部には、ボックス７の端部が挿入される溝が形成された保持部１３ｂが設けられている。押出ロッド１４の先端部には、スリット７ｄ間の帯状部分を押し出す押出爪１４ｂが設けられている。
【００２１】
図９に示すように、押出爪１４ｂの先端がスリット７ｄ間の帯状部分に当たる位置まで、保持部１３ｂにボックス７の端部を挿入し、保持ロッド１３に対して押出ロッド１４を回動させる。これにより、図１０に示すように、帯状部分がボックス７の内側へ押し出され、図１１に示すような円弧状のねじ受け部７ｂが形成される。
【００２２】
このとき、タッピンねじ１１を締め込む方向から見て、ねじ受け部７ｂとボックス７の内面との間の隙間の寸法は、使用されるタッピンねじ１１の径よりも小さく設定される。これにより、タッピンねじ１１を締め込むことで隙間が押し広げられ、タッピンねじ１１がねじ受け部７ｂに強固に締結される。
【００２３】
このようなかご操作盤６では、２本のスリット７ｄに挟まれた帯状の部分をボックス７の内側へ押し出してなる円弧状のねじ受け部７ｂをボックス７に設け、タッピンねじ１１をねじ受け部７ｂの内側の空間にねじ込むことにより表示操作板９をボックス７に取り付けたので、表示操作板９をボックス７にしっかりとねじ止めすることができ、かつ、タッピンねじ１１を受ける部分の突出量を抑えることができる。
【００２４】
これにより、ボックス７に内蔵機器８を搬入し易くなり、保守作業の作業性も向上する。また、表示操作板９がいたずらで外されてしまうのを防止することができる。さらに、構成が簡単であり、安価に構成することができる。
【００２５】
また、先端の尖ったタッピンねじ１１を用いているので、タッピンねじ１１を締め込む際に、ねじ受け部７ｂの背面に形成された空間（隙間）がタッピンねじ１１により押し広げられることになり、表示操作板９がボックス７に強固にねじ止めされる。
【００２６】
実施の形態２．
次に、図１２はこの発明の実施の形態２によるかご操作盤のボックスを示す分解斜視図、図１３は図１２のボックスの上端部を示す正面図、図１４は図１３のボックスを示す左側面図、図１５は図１３のボックスを示す平面図である。
【００２７】
実施の形態１では、ボックス７の前面に表示操作板９をねじ止めする構造を示したが、実施の形態２では、ボックス７の製作に応用した例を示す。即ち、実施の形態２では、一対の側面部と背面部とを有する断面コ字形のボックス（ボックス本体）２３が用いられている。即ち、ボックス２３の前面、上面及び下面には開口が設けられている。
【００２８】
ボックス２３の上部には、ボックス２３の上面の開口を塞ぐ蓋部材としての上部カバー２４が設けられている。ボックス２３の下部には、ボックス２３の下面の開口を塞ぐ下部カバー２５が設けられている。
【００２９】
ボックス２３の上端部には、左右一対の円弧状のねじ受け部２３ａが設けられている。ボックス２３の下端部には、左右一対の円弧状のねじ受け部２３ｂが設けられている。ねじ受け部２３ａ，２３ｂの形成方法は、実施の形態１のねじ受け部７ｂの場合と同様である。
【００３０】
上部カバー２４は、上部カバー２４を通した一対のタッピンねじ２６を対応するねじ受け部２３ａの内側の空間にねじ込むことによりボックス２３に取り付けられている。上部カバー２４には、タッピンねじ２６を通す一対のねじ挿通孔（皿穴）２４ａが設けられている。
【００３１】
下部カバー２５は、下部カバー２５を通した一対のタッピンねじ２７を対応するねじ受け部２３ｂの内側の空間にねじ込むことによりボックス２３に取り付けられている。下部カバー２５には、タッピンねじを通す一対のねじ挿通孔（皿穴）２５ａが設けられている。他の構成は、実施の形態１と同様である。即ち、実施の形態２のボックス２３、上部カバー２４及び下部カバー２５の組立体を、実施の形態１のボックス７と置き換えることができる。
【００３２】
このようなかご操作盤では、実施の形態１と同様の効果に加えて、製品の組立や保守作業時に、上部カバー２４及び下部カバー２５をボックス２３から取り外すことができ、内蔵機器８の装着や保守作業を容易にすることができる。
【００３３】
なお、ねじ受け部の長さ寸法、幅寸法、ボックス内への突出量、及び個数等は、適宜変更可能である。
また、この発明はかご操作盤以外のエレベータ用操作表示器、例えばかご内表示器、乗場操作盤、及び乗場表示器等にも適用できる。
【符号の説明】
【００３４】
７，２３  ボックス、７ｂ，２３ａ，２４ａ  ねじ受け部、８  内蔵機器、９  表示操作板（蓋部材）、１１，２６，２７  タッピンねじ、２４  上部カバー（蓋部材）、２５  下部カバー（蓋部材）。
【図１】
2014040291.tif 000003
【図２】
2014040291.tif 000004
【図３】
2014040291.tif 000005
【図４】
2014040291.tif 000006
【図５】
2014040291.tif 000007
【図６】
2014040291.tif 000008
【図７】
2014040291.tif 000009
【図８】
2014040291.tif 000010
【図９】
2014040291.tif 000011
【図１０】
2014040291.tif 000012
【図１１】
2014040291.tif 000013
【図１２】
2014040291.tif 000014
【図１３】
2014040291.tif 000015
【図１４】
2014040291.tif 000016
【図１５】
2014040291.tif 000017